(57)【特許請求の範囲】
【請求項１】
左右両チャンネルそれぞれに対応のスピーカを有するヘッドホンの接続が可能な携帯端末装置であって、
受話信号を伝送するための受話チャネルを有する受話回路と、
音楽を再生し、その再生した音楽を前記左右両チャネルに供給する音楽再生手段と、
前記ヘッドホンの一方のスピーカに接続される第１の端子と、
前記第１の端子を前記受話チャネル、または前記左右両チャネルの一方のいずれかに接続する第１の切替スイッチと、
着呼に応じて呼出音を発生して前記受話チャネルに供給する呼出音発生手段と、
前記着呼があったとき前記第１の切替スイッチを、前記左右両チャネルの一方側から前記受話チャネル側に切替える制御手段と、を備える、携帯端末装置。
【請求項２】
前記ヘッドホンはマイクを有し、
前記携帯端末装置はさらに、
送話信号を伝送するための送話チャネルを有する送話回路と、
前記ヘッドホンの当該他方のスピーカまたは前記マイクに接続される第２の端子と、
前記第２の端子を前記送話チャネル、または前記左右両チャネルの当該他方のいずれかに接続する第２の切替スイッチとを備える、請求項１に記載の携帯端末装置。
【請求項３】
前記ヘッドホンは前記マイクを支持するアームをさらに備え、
前記第２の切替スイッチは、
前記他方のスピーカに接続された第１の接点と、
前記マイクに接続された第２の接点と、
前記第２の端子に接続された共通接点と、
前記アームを回転可能に取付けるための回転機構とを含み、
前記回転機構は、前記アームを回転させて前記マイクを使用者の口付近に移動させた状態で前記第２の接点を前記共通接点に接続し、前記アームを回転させて前記マイクを前記使用者の口付近以外の位置に移動させた状態で前記第１の接点を前記共通接点に接続する、請求項２に記載の携帯端末装置。
【請求項４】
前記携帯端末装置は、通話モードおよび音楽再生モードを有する、請求項１から３のいずれかに記載の携帯端末装置。
【請求項５】
前記マイクを使用者の口付近に移動させるように前記アームが回転させられたことに応じて、前記音楽再生モードから前記通話モードに切替える、請求項１から４のいずれかに記載の携帯端末装置。
【発明の詳細な説明】
【０００１】
【発明の属する技術分野】
この発明は、携帯端末装置に関し、さらに詳しくは、音楽再生機能を備えた携帯端末装置の改良に関する。
【０００２】
【従来の技術】
近年、情報技術の発展に伴い、携帯電話機はインターネット等の情報通信網に接続可能な端末として使用され始めている。一方、デジタルオーディオデータの圧縮技術に伴い、音楽データのオンライン配信が可能となっている。これらを背景として、最近、携帯電話機で音楽が聴けるように音楽再生機能を備えた携帯電話機が提案されている。
【０００３】
【発明が解決しようとする課題】
しかしながら、音楽を聴いている最中に着呼があった場合にどのように処理するかについては未だ検討されていない。
【０００４】
音楽を聴いている最中に着呼があった場合、呼出音が聴こえず、着呼に気付かないことが予想される。また、着呼に気付いたとしても、それまで音楽を聴いていたヘッドホンを外して代わりに携帯電話機を耳に当てるなど、煩わしい作業が必要になることが予想される。
【０００５】
この発明は、音楽を聴いている最中に着信があった場合でも利便性に優れた携帯端末装置を提供することを目的とする。
【０００６】
【課題を解決するための手段】
この発明のある局面に従う、左右両チャンネルそれぞれに対応のスピーカを有するヘッドホンの接続が可能な携帯端末装置は、受話信号を伝送するための受話チャネルを有する受話回路と、音楽を再生し、その再生した音楽を左右両チャネルに供給する音楽再生手段と、ヘッドホンの一方のスピーカに接続される第１の端子と、第１の端子を受話チャネル、または左右両チャネルの一方のいずれかに接続する第１の切替スイッチと、着呼に応じて呼出音を発生して受話チャネルに供給する呼出音発生手段と、着呼があったとき第１の切替スイッチを、左右両チャネルの一方側から受話チャネル側に切替える制御手段と、を備える。
好ましくは、制御手段は、着呼があったとき、受信応答操作に応じて第１の切替スイッチを受話チャネル側に切替える。
好ましくは、ヘッドホンはマイクを有し、携帯端末装置はさらに、送話信号を伝送するための送話チャネルを有する送話回路と、ヘッドホンの当該他方のスピーカまたはマイクに接続される第２の端子と、第２の端子を送話チャネル、または左右両チャネルの当該他方のいずれかに接続する第２の切替スイッチとを備える。
好ましくは、ヘッドホンはマイクを支持するアームをさらに有し、第２の切替スイッチは、他方のスピーカに接続された第１の接点と、マイクに接続された第２の接点と、第２の端子に接続された共通接点と、アームを回転可能に取付けるための回転機構とを含み、回転機構は、アームを回転させてマイクを使用者の口付近に移動させた状態で第２の接点を共通接点に接続し、アームを回転させてマイクを前記使用者の口付近以外の位置に移動させた状態で第１の接点を共通接点に接続する。
好ましくは、携帯端末装置は、通話モードおよび音楽再生モードを有する。
好ましくは、マイクを使用者の口付近に移動させるようにアームが回転させられたことに応じて、音楽再生モードから通話モードに切替える。
【０００７】
この携帯端末装置が音楽再生モードにあるとき、再生された音楽の一方のチャネルはヘッドホンの一方のスピーカに与えられる。一方、この携帯端末装置が通話モードにあるとき、受話信号はその同じスピーカに与えられる。したがって、使用者は、音楽を聞いていたヘッドホンをそのまま用いて通話相手の声を聞くことができる。
また、着呼があると、呼出音がヘッドホンの一方のスピーカから出力される。そのため、使用者は、音楽を聞いている最中でも着呼があれば呼出音を聞くことができる。
また、使用者はアームを回転させてマイクを上下に移動させるだけでマイクと他方のスピーカとを容易に切替えることができる。
【００１６】
【発明の実施の形態】
以下、この発明の実施の形態を図面を参照して詳しく説明する。なお、図中同一または相当部分には同一符号を付してその説明は繰返さない。
【００１７】
［第１の実施の形態］
図１は、この発明の第１の実施の形態によるマイク付きヘッドホンおよび携帯電話機を用いた音楽配信システムの全体構成を示す図である。図１を参照して、携帯電話機１０は、基地局１２および携帯電話網１４を介して音楽データ配信サーバ１６に接続される。これにより、音楽データは基地局１２から携帯電話機１０に送信され、携帯電話機１０に装着されたメモリカード１８に格納される。この配信された音楽を携帯電話機１０を用いて聞く際には、マイク２２付きヘッドホン２０が携帯電話機１０に接続される。この携帯電話機１０は、基地局２４を介して他の携帯電話機２６と通信することも可能である。したがって、使用者がヘッドホン２０を装着して携帯電話機１０で音楽を聞いている最中に着呼がある場合がある。
【００１８】
図２は、携帯電話機１０の全体構成を示すブロック図である。図２を参照して、携帯電話機１０は、アンテナ２８と、変調および復調などの通信処理を行なう送受信無線制御回路３０と、ＡＤ変換器やエンコーダなどを含む送話回路３２と、デコーダやＤＡ変換器などを含む受話回路３４と、着呼に応じて呼出音を発生する呼出音発生回路３６と、ＬＣＤなどからなるディスプレイ３８と、使用者の指示を入力するためのキー４０と、音楽を再生する音楽再生回路４２と、音楽データを記憶するためのメモリカード１８と、メモリカード１８の接続が可能なメモリカードインターフェイス４４と、送話回路３２、受話回路３４および音楽再生回路４２に接続される切替回路４６と、切替回路４６に接続されるヘッドホンジャック４８と、この携帯電話機１０全体を制御するコントローラ５０と、送受信無線制御回路３０、ディスプレイ３８、音楽再生回路４２、メモリインターフェイス４４およびコントローラ５０を相互に接続するバス５２とを備える。
【００１９】
携帯電話機１０は、通話モードおよび音楽再生モードを有する。通話モードにおいては、送受信無線制御回路３０、送話回路３２および受話回路３４が動作する。音楽再生モードにおいては、音楽再生回路４２が動作する。
【００２０】
図３は、図１に示したヘッドホン２０、図２に示した切替回路４６およびヘッドホンジャック４８の構成を示す回路図である。図１および図３を参照して、ヘッドホン２０は、左チャネルスピーカ５４と、右チャネルスピーカ５６と、右チャネルスピーカ５６とマイク２２とを切替える切替スイッチ５８と、プラグ６０とを備える。左チャネルスピーカ５４はプラグ６０の端子６２に接続される。切替スイッチ５８は、右チャネルスピーカ５６およびマイク２２のうちいずれか一方をプラグ６０の端子６４に接続する。
【００２１】
切替回路４６は、切替スイッチ６６および６８を含む。切替スイッチ６６は、通話モード時にヘッドホンジャック４８の端子７０を受話回路３４の受話チャネル７２に接続し、音楽再生モード時に端子７０を音楽再生回路４２の左チャネル７４に接続する。図２に示したコントローラ５０は、着呼に応じて切替スイッチ６６を受話チャネル７２側に切替える。
【００２２】
切替スイッチ６８は、通話モード時にヘッドホンジャック４８の端子７６を送話回路３２の送話チャネル７８に接続し、音楽再生モード時に端子７６を音楽再生回路４２の右チャネル８０に接続する。
【００２３】
スピーカ５４および５６ならびにマイク２２は共通に接続され、プラグ６０およびヘッドホンジャック４８を介して携帯電話機１０のグラウンドＧＮＤに接続される。
【００２４】
図４は、音楽再生時のヘッドホン２０および携帯電話機１０を示す図である。図４を参照して、ヘッドホン２０は、マイク２２を支持するアーム８２を備える。アーム８２は、右チャネルスピーカ５６の支持部に回転可能に取付けられる。音楽再生時にはアーム８２が回転され、マイク２２は上方に移動される。
【００２５】
図５は、通話時のヘッドホン２０および携帯電話機１０を示す図である。図５を参照して、通話時にはアーム８２が回転され、マイク２２は下方に移動される。
【００２６】
図６は、ヘッドホン２０の回転機構８４の構造を示す断面図である。図６を参照して、回転機構８４は、右チャネルスピーカ５６を支持する円筒形の筐体８６と、筐体８６に回転可能に嵌め込まれた回転体８８とを含む。アーム８２は回転体８８に取付けられている。回転体８６の内側には溝が形成され、この溝の一部分に図３に示した切替スイッチ５８の共通接点９０が埋込まれている。また、回転体８８の表面上には互いに対向する位置に図３に示した切替スイッチ５８の接点９２および９４が形成されている。接点９２がマイク２２に接続され、接点９４が右チャネルスピーカ５６に接続される。
【００２７】
図６に示されるようにアーム８２が回転体８８により回転され、マイク２２が下方に移動された場合、接点９２が共通接点９０に接触する。したがって、プラグ６０の端子６４はマイク２２に接続される。一方、アーム８２が回転体８８により回転され、マイク２２が上方に移動された場合、接点９４が共通接点９０に接触する。したがって、プラグ６０の端子６４は右チャネルスピーカ５６に接続される。
【００２８】
次に、以上のように構成された携帯電話機１０の動作について説明する。
図７は、携帯電話機１０による音楽データのダウンロード動作を示すフローチャートである。図７を参照して、ステップＳ１において携帯電話機１０は音楽データ配信サーバ１６にダイヤルし、ステップＳ２において音楽データ配信サーバ１６と接続される。
【００２９】
続いてステップＳ３において、音楽データ配信サーバ１６から送信された楽曲メニューが携帯電話機１０のディスプレイ３８に表示される。
【００３０】
続いてステップＳ４において、使用者が楽曲メニューの中から所望の楽曲を選択すると、ステップＳ５においてその選択された楽曲の音楽データが携帯電話機１０にダウンロードされ、これによりステップＳ６においてそのダウンロードされた音楽データがメモリカード１８に保存される。
【００３１】
ダウンロードが終了すると、ステップＳ７において携帯電話機１０は音楽データ配信サーバ１６と切断される。
【００３２】
図８は、携帯電話機１０による音楽再生動作を示すフローチャートである。図８を参照して、着呼がない場合の音楽再生動作について説明する。ステップＳ１１において使用者はディスプレイ３８に表示されたメニューの中から音楽再生メニューをキー４０を操作して選択する。
【００３３】
これにより携帯電話機１０は音楽再生モードとなり、ステップＳ１２においてコントローラ５０は切替スイッチ６６を左チャネル７４側に切替え、かつ切替スイッチ６８を右チャネル８０側に切替える。
【００３４】
続いてステップＳ１３において、コントローラ５０はメモリカード１８からセーブされている曲目を取得する。続いてステップＳ１４において、ディスプレイ３８はその取得された曲目に応じて楽曲メニューを表示する。続いてステップＳ１５において、使用者は楽曲メニューの中から所望の楽曲を選択する。続いてステップＳ１６において、コントローラ５０はその選択された楽曲の音楽データをメモリカード１８から読出す。このとき、音楽再生回路４２にて格納可能なデータ量だけ音楽データを読出す。
【００３５】
続いてステップＳ１７において、音楽再生回路４２はその読出された音楽データに基づいて音楽を再生する。音楽再生回路４２で生成されたステレオ音楽信号は左チャネル７４および右チャネル８０を介してヘッドホン２０に与えられる。
【００３６】
ステップＳ２０において着呼があるか否かが判定され、着呼がない場合には音楽の再生が継続される。
【００３７】
ステップＳ１８において選曲された音楽データがすべて再生されるまで、すなわち、上記ステップＳ１６，Ｓ１７，Ｓ２０が繰返される。
【００３８】
図８を参照して、着呼があった場合の音楽再生動作について説明する。ステップＳ２０において着呼があるか否かが判別される。着呼がない場合は上記ステップＳ１４〜Ｓ１７が繰返され、音楽の再生が継続されるが、着呼がある場合はステップＳ２１においてコントローラ５０が音楽再生回路４２を制御し、音楽の再生が一時的に停止される。
【００３９】
続いてステップＳ２２において、コントローラ５０は切替スイッチ６６を受話チャネル７２側に切替える。
【００４０】
着呼に応じて呼出音発生回路３６は呼出音を発生して受話チャネル７２に供給しているため、ステップＳ２３においてヘッドホン２０の左チャネルスピーカ５４から呼出音が出力される。したがって、使用者は音楽を聞いている最中でも着呼があった場合は呼出音を聞くことができる。
【００４１】
続いてステップＳ２４において、使用者が着呼に気づいてヘッドホン２０のアーム８２を回転させてマイク２２を自分の口付近に移動させる。これにより、切替スイッチ５８はマイク２２側に切替えられる。
【００４２】
続いてステップＳ２５において、使用者が受信応答キー４０を押すと、携帯電話機１０は音楽再生モードから通話モードになる。これにより、コントローラ５０は切替スイッチ６８を送話チャネル７８側に切替える。そのため、マイク２２で生成された送話信号は送話チャネル７８を介して送話回路３２に与えられる。一方、受話回路３４からの受話信号は受話チャネル７２を介してヘッドホン２０の左チャネルスピーカ５４に与えられる。その結果、使用者はこれまで音楽を聞いていたヘッドホン２０をそのまま用いて通話を開始することができる。
【００４３】
続いてステップＳ２６において通話が終了すると、ステップＳ２７において携帯電話機１０は通話モードから音楽再生モードに戻る。これにより、コントローラ５０は切替スイッチ６６を左チャネル７４側に切替え、かつ切替スイッチ６８を右チャネル８０側に切替える。
【００４４】
続いてステップＳ２８において、使用者がヘッドホン２０のアーム８２を回転させてマイク２２を上方に移動させると、切替スイッチ５８が右チャネルスピーカ５６側に切替えられる。
【００４５】
その結果、ステップＳ２９において音楽再生が再開される。すなわち、右チャネル音楽信号は右チャネルスピーカ５６に与えられ、左チャネル音楽信号は左チャネルスピーカ５４に与えられる。
【００４６】
以上のように第１の実施の形態によれば、切替スイッチ６６が通話モード時に受話チャネル７２側に切替えられ、音楽再生モード時に左チャネル７４側に切替えられるため、使用者は同じ左チャネルスピーカ５４で通話時には相手の声を聞くことができ、音楽再生時には左チャネルの音楽を聞くことができる。
【００４７】
また、コントローラ５０が着呼に応じて切替スイッチ６６を受話チャネル７２側に切替えるため、使用者は音楽を聞いている最中でも左チャネルスピーカ５４から呼出音を聞くことができる。
【００４８】
また、着呼に応じて使用者がヘッドホン２０のアーム８２を回転させてマイク２２を上方に移動させると切替スイッチ５８がマイク２２側に切替わり、さらに使用者が受信応答キー４０を押すとコントローラ５０が切替スイッチ６８を送話チャネル７８側に切替えるため、マイク２２で生成された送話信号は送話チャネル７８を介して送話回路３２に与えられる。
【００４９】
上記のように、使用者が携帯電話機１０で音楽を聞いている最中に着呼があった場合でも、使用者は着呼に気づき、さらにマイク２２を下げ、受信応答キー４０を押すだけで通話を開始することができる。
【００５０】
さらには、受信応答キー４０の押下に代えて、マイク２２を下げることによって通話モードに切替わるように構成すれば、使用者は着呼に気づき、マイク２２を下げさえすれば、通話を開始できるようになる。
【００５１】
［第２の実施の形態］
図２に示される第１の実施の形態と異なり、図９に示されるように第２の実施の形態では、呼出音発生回路３６の出力は音楽再生回路４２の両チャネル７４および８０に接続される。そのため、着呼に応じて呼出音発生回路３６が呼出音を発生すると、その信号は両チャネル７４および８０を通じてヘッドホン２０の両スピーカ５４および５６に与えられる。第２の実施の形態では上記第１の実施の形態と異なり、コントローラ５０は着呼に応じて切替スイッチ６６を受話チャネル７２側に切替える必要がない。
【００５２】
この第２の実施の形態では図１０に示されるように、ステップＳ２０とステップＳ２１との間にステップＳ３０が追加される。着呼がある場合、ステップＳ３０においてコントローラ５０は受信応答キー４０の押下を判定する。使用者が両スピーカ５４および５６からの呼出音に気づいて受信応答キー４０を押下すると、ステップＳ２１においてコントローラ５０は音楽再生回路４２を制御し、音楽の再生を一時的に停止する。続いてステップＳ２５において、携帯電話１０は音楽再生モードから通話モードに切替わり、これによりコントローラ５０は切替スイッチ６６および６８をそれぞれ受話チャネル７２側および送話チャネル７８側に切替える。
【００５３】
上記では呼出音の信号は左右両チャネルに与えられているが、少なくとも一方のチャネルに与えられていれば、使用者は呼出音を聞くことができる。
【００５４】
この第２の実施の形態においても上記と同様に、受信応答キー４０の押下に代えて、マイク２２を下げることによって音楽の再生を停止し、通話モードに切替わるように構成してもよい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５６】
【発明の効果】
以上のようにこの発明によれば、使用者が携帯電話機で音楽を聞いている最中に着呼があった場合でも速やかに通話を開始することができる。
【図面の簡単な説明】
【図１】  この発明の実施の形態による携帯電話機およびマイク付きヘッドホンを用いた音楽配信システムの全体構成を示す図である。
【図２】  この発明の第１の実施の形態による携帯電話機の全体構成を示すブロック図である。
【図３】  図１に示したヘッドホンおよび図２に示した携帯電話機中の切替回路およびヘッドホンジャックの構成を示す回路図である。
【図４】  図１〜図３に示したヘッドホンおよび携帯電話機の音楽再生時の状態を示す図である。
【図５】  図１〜図３に示したヘッドホンおよび携帯電話機の通話時の状態を示す図である。
【図６】  図１に示したヘッドホンの回転機構の構造を示す断面図である。
【図７】  図１〜図６に示した携帯電話機による音楽データのダウンロード動作を示すフローチャートである。
【図８】  図１〜図６に示したヘッドホンおよび携帯電話機による音楽の再生動作および音楽再生中に着呼があった場合の動作を示すフローチャートである。
【図９】  この発明の第２の実施の形態による携帯電話機の全体構成を示すブロック図である。
【図１０】  図９に示した携帯電話機による音楽の再生動作および音楽再生中に着呼があった場合の動作を示すフローチャートである。
【符号の説明】
１０  携帯電話機、２０  ヘッドホン、２２  マイク、３２  送話回路、３４受話回路、３６  呼出音発生回路、４２  音楽再生回路、４６  切替回路、４８  ヘッドホンジャック、５０  コントローラ、５４  左チャネルスピーカ、５６  右チャネルスピーカ、５８，６６，６８  切替スイッチ、６０  プラグ、６２，６４，７０，７６  端子、７２  受話チャネル、７４  左チャネル、７８  送話チャネル、８０  右チャネル、８２  アーム、８４  回転機構、９０  共通接点、９２，９４  接点。
【図１】
0004263837.tif 000002
【図２】
0004263837.tif 000003
【図３】
0004263837.tif 000004
【図４】
0004263837.tif 000005
【図５】
0004263837.tif 000006
【図６】
0004263837.tif 000007
【図７】
0004263837.tif 000008
【図８】
0004263837.tif 000009
【図９】
0004263837.tif 000010
【図１０】
0004263837.tif 000011